(57)【要約】      （修正有）【課題】通常型ランドセルまたは拡幅型ランドセルのいずれにおいても錠前基板と、蓋板に取付けた掛止板とを締緩可能に連結操作を行う錠前金具を提供する。【解決手段】ランドセル１の外底面２に取付けた中央に摺動部１２を有した錠前基板１１と、前記錠前基板の摺動部上にスライド機構を介して前後動する可動体３０と、前記摺動部上を前後動する可動体を多段階に停止させるロック機構と、前記ランドセルの蓋板４の一端に設けた掛止板６を前記可動体に着脱可能に取付ける連結機構とからなることを特徴とする。【選択図】図１
2020171472.tif 000002
【特許請求の範囲】
【請求項１】
ランドセル（１）の外底面（２）に取付けた中央に摺動部（１２）を有した錠前基板（１１）と、
前記錠前基板（１１）の摺動部（１２）にスライド機構（Ａ）を介して前後動可能に取付けた可動体（３０）と、
前記摺動部（１２）を前後動する可動体（３０）を多段階に停止させるロック機構（Ｂ）と、
前記ランドセル（１）の蓋板（４）の一端に設けた掛止板（６）を前記可動体（３０）に着脱可能に取付ける連結機構（Ｃ）とからなることを特徴とするランドセル用錠前金具。
【請求項２】
前記錠前基板（１１）は、摺動部（１２）の左右両側にガイド壁部（１８）と固定部（１４）をそれぞれ一体に連設し、該固定部の両端にそれぞれ座部（１５）を設け、前記摺動部（１２）の中央に前記スライド機構（Ａ）を挿通するスライド孔（２０）と該スライド孔の裏面にガイド溝部（２１）を設けてなることを特徴とする前記請求項１記載のランドセル用錠前金具。
【請求項３】
前記可動体（３０）は、内部に収容した連結機構（Ｃ）の回転子（５１）とピン軸（５３）を挿通する軸孔（３３）とピン孔（３４）を表面に設け、下面開口底部（３２）に前記スライド機構（Ａ）を構成する連結板（２３）を取付け、前記可動体（３０）の両側下端に前記ロック機構（Ｂ）を構成する複数の係止凹部（３１）を設けてなることを特徴とする前記請求項１記載のランドセル用錠前金具。
【請求項４】
前記スライド機構（Ａ）は、錠前基板（１１）の摺動部（１２）に設けたスライド孔（２０）の裏面に設けたガイド溝部（２１）に摺動可能に位置したスライド板（２２）と、前記可動体（３０）の開口底部（３２）に装着した連結板（２３）の連結脚部（２４）とをスライド孔（２０）を介して連結して前記可動体（３０）を摺動部（１２）上で摺動可能に取付けてなることを特徴とする前記請求項１または３記載のランドセル用錠前金具。
【請求項５】
前記ロック機構（Ｂ）は、前記錠前基板（１１）の摺動部（１２）の両側に位置したガイド壁部（１８）に設けた収容凹部（１９）にそれぞれ前記可動体（３０）をロック、アンロックする作動釦（４０）と、該作動釦を支持する支持板（４５）を収容してなることを特徴とする前記請求項１または３記載のランドセル用錠前金具。
【請求項６】
前記ガイド壁部（１８）の収容凹部（１９）に取付けたロック機構（Ｂ）は、前記支持板（４５）の軸受部（４６）に作動釦（４０）を枢動可能に軸支し、この作動釦（４０）の下部一端に設けた作動軸部（４１）を前記摺動部（１２）とガイド壁部（１８）との角部に設けた作動孔（１７）から出し入れ可能に突出させ、前記可動体（３０）の両側に設けた係止凹部（３１）に前記作動軸部（４１）を嵌合させることにより可動体（３０）をロックし、一対の作動釦（４０）を可動体方向に押圧することにより作動軸部（４１）が下方に回動して係止凹部（３１）から離脱し、アンロックすることを特徴とする前記請求項３または５記載のランドセル用錠前金具。
【請求項７】
前記連結機構（Ｃ）は、可動体（３０）の上面に一部を露出させた回転子（５１）とピン軸（５３）と、前記回転子（５１）を回動させるばね（５５）と、該ばねを掛止する掛止片（５６）と、前記蓋板（４）の掛止板（６）を吸着する磁性体（５８）とからなり、前記掛止板（６）に設けた複数の掛止孔（７）の何れかに前記回転子（５１）を挿通すると、掛止板（６）が磁性体（５８）の磁力で可動体（３０）の表面に吸着されてピン軸（５３）を下方に押圧し、ピン軸（５３）が降下すると掛止片（５６）が連動して回転子（５１）を弾発させてあるばね（５５）の掛止を解除して回転子（５１）が掛止孔（７）と直角方向に回動し、掛止板（６）を可動体（３０）に連結してなることを特徴とする前記請求項１または３記載のランドセル用錠前金具。
【発明の詳細な説明】
【技術分野】
【０００１】
本発明は、通常型ランドセルまたはマチ幅拡型ランドセルのいずれのランドセルにも使用可能な蓋板のかぶせ位置を調節可能にした錠前金具に関する。
【背景技術】
【０００２】
従来、ランドセルは主収容部、副収容部及び前ポケットからなるランドセル本体の上面を被せる蓋板は、先端に取付けた掛止板をランドセル本体の底面に取付けた掛止金具に着脱可能に連結してある。これらの錠前金具の多くは、基板の内部中央に永久磁石を備えた本体の中央に一体成形でＴ形に形成した摘子を回転可能に植設して支持すると共に、蓋板の先端に取付けた掛止板には蓋板の締緩調整をするため横長の係止凹部を任意間隔で二段や三段に設けて形成されているものが多い。
【０００３】
これらの錠前金具と蓋板に取付けた掛止板とを連結ロックする場合、掛止板の嵌合孔のいずれかを前記錠前金具の摘子に嵌合すると、掛止板が錠前金具に内蔵された永久磁石によって表面に吸着される。次いで、掛止板の表面に突出した摘子を回転させて前記掛止板の係止凹部の長手方向と直交させることによりロックしている。掛止板をアンロックする場合、掛止板の係止凹部の長手方向と直交させてある摘子を回転させて係止凹部の長手方向と並行に位置させた後、永久磁石によって吸着されている掛止板を離脱させることにより取り外すものが知られている。
【先行技術文献】
【特許文献】
【０００４】
【特許文献１】特開２００１−２５２１２１号公報
【特許文献２】実開昭６３−５８１８号公報
【０００５】
前記ランドセルは、ランドセル本体内に収容される教科書や参考書またはノートなどの教材量によって異なるが、従来型のランドセルは蓋板の先端に取付けた掛止板に開口した２〜３個の嵌合孔の幅で行われ、ランドセル本体内に収容される教科書の量が少ない場合には強く締め、教科書が多い場合は緩く被せてかぶせ幅を調節していた。しかし、昨今は収容する教科書やノートがＡ４版と大きく、また教材の数も多くなったこと、さらには、ランドセル本体の構造が収容する教科書の量や教材の量によって主・副収容室のマチ幅を拡幅可能にして収容することができるランドセル（以下、拡幅型ランドセルという）が普及している。そのため、掛止板に設けた２〜３個の嵌合孔の幅では十分に対応することが困難になってきた。ランドセルの蓋板を閉じたときに適正な状態に蓋板を締めることができるときは問題ないが、特に、ランドセル本体のマチ幅を拡幅して使用する場合、従来型の錠前金具では蓋板を閉じることは困難であり、そのため、通常型ランドセル用、拡幅型ランドセル用の錠前金具がそれぞれ必要となり、大変不経済であるという問題点を有している。
【０００６】
本発明は、通常型のランドセルおよび拡幅型ランドセルのどちらのランドセルにも取付けて使用することができる錠前金具で、しかも蓋板の掛止板を錠前金具に装着した状態のままで、さらに蓋板の締緩調節をワンタッチで簡単に操作することができる錠前金具を提供することを目的とする。
【発明の概要】
【発明が解決しようとする課題】
【０００７】
本発明は、ランドセル１の外底面２に取付けた中央に摺動部１２を有した錠前基板１１と、前記錠前基板１１の摺動部１２にスライド機構Ａを介して前後動可能に取付けた可動体３０と、前記摺動部１２を前後動する可動体３０を多段階に停止させるロック機構Ｂと、前記ランドセル１の蓋板４の一端に設けた掛止板６を前記可動体３０に着脱可能に取付ける連結機構Ｃとからなることを特徴とする。また、前記錠前基板１１は、摺動部１２の左右両側にガイド壁部１８と固定部１４をそれぞれ一体に連設し、該固定部の両端にそれぞれ座部１５を設け、前記摺動部１２の中央に前記スライド機構Ａを挿通するスライド孔２０と該スライド孔の裏面にガイド溝部２１を設けてなることを特徴とする。さらには、前記可動体３０は、内部に収容した連結機構Ｃの回転子５１とピン軸５３を挿通する軸孔３３とピン孔３４を表面に設け、下面開口底部３２に前記スライド機構Ａを構成する連結板２３を取付け、前記可動体３０の両側下端に前記ロック機構Ｂを構成する複数の係止凹部３１を設けてなることを特徴とする。さらにはまた、前記スライド機構Ａは、錠前基板１１の摺動部１２に設けたスライド孔２０の裏面に設けたガイド溝部２１に摺動可能に位置したスライド板２２）と、前記可動体３０の開口底部３２に装着した連結板２３の連結脚部２４とをスライド孔２０を介して連結して前記可動体３０を摺動部１２上で摺動可能に取付けてなることを特徴とする。また、前記ロック機構Ｂは、前記錠前基板１１の摺動部１２の両側に位置したガイド壁部１８に設けた収容凹部１９にそれぞれ前記可動体３０をロック、アンロックする作動釦４０と、該作動釦を支持する支持板４５を収容してなることを特徴とする。さらには、前記ガイド壁部１８の収容凹部１９に取付けたロック機構Ｂは、前記支持板４５の軸受部４６に作動釦４０を枢動可能に軸支し、この作動釦４０の下部一端に設けた作動軸部４１を前記摺動部１２とガイド壁部１８との角部に設けた作動孔１７から出し入れ可能に突出させ、前記可動体３０の両側に設けた係止凹部３１に前記作動軸部４１を嵌合させることにより可動体３０をロックし、一対の作動釦４０を可動体方向に押圧することにより作動軸部４１が下方に回動して係止凹部３１から離脱し、アンロックすることを特徴とする。さらにはまた、前記連結機構Ｃは、可動体３０の上面に一部を露出させた回転子５１とピン軸５３と、前記回転子５１を回動させるばね５５と、該ばねを掛止する掛止片５６と、前記蓋板４の掛止板６を吸着する磁性体５８とからなり、前記掛止板６に設けた複数の掛止孔７の何れかに前記回転子５１を挿通すると、掛止板６が磁性体５８の磁力で可動体３０の表面に吸着されてピン軸５３を下方に押圧し、ピン軸５３が降下すると掛止片５６が連動して回転子５１を弾発させてあるばね５５の掛止を解除して回転子５１が掛止孔７と直角方向に回動し、掛止板６を可動体３０に連結してなることを特徴とする。
【発明の効果】
【０００８】
以上のごとく、本発明は、ランドセル１の外底面２に取付けた錠前基板１１の摺動部１２にスライド機構Ａとロック機構Ｂを介して可動体３０を摺動可能に取付け、この可動体３０内にランドセル１の開口部を覆う蓋板４の一端に取付けた掛止板６を着脱可能に掛止する連結機構Ｃを設けたことにより、ランドセル１に収容した教材の量やランドセル本体のマチ幅を拡幅可能にしたランドセルの場合でも、蓋板４の掛止板６を可動体３０に連結したままの状態で可動体３０の停止位置を多段階に調節可能にすることができる。したがって、本願の錠前金具１０は、通常型ランドセル及び拡幅型ランドセルのいずれにも取付けて使用することができるので大変経済的で便利である。さらには、ランドセル本体内に収容された教科書や教材などの量により蓋板の留め位置を調節することができるので教材の傷みを防止することができ、さらに、低学年の学童でも簡単に操作することができて便利である。
【図面の簡単な説明】
【０００９】
【図１】ランドセルの外底面に本発明の錠前金具を取付けた状態の正面図である。
【図２】錠前基板の摺動部の下段に可動体を位置した状態を示す正面図である。
【図３】錠前基板の摺動部の上段に可動体を位置した状態を示す正面図である。
【図４】錠前基板の摺動部に位置した可動体の底面図である。
【図５】錠前基板に取付ける可動体の分解斜視図である。
【図６】錠前基板の背面図である。
【図７】掛止板の正面図である。
【図８】可動体の一部破断した側面図である。
【図９】スライド機構を構成するスライド板と連結板と連結部片の分解斜視図である。
【図１０】図４のＸ―Ｘ線断面図である。
【図１１】図２の一部破断したＹ―Ｙ線断面図である。
【図１２】ロック機構の作動釦と支持板を示す分解斜視図である。
【図１３】ロック機構の作動釦の作動軸部で可動体の係止凹部にロックした状態を示す要部拡大模式図である。
【図１４】ロック機構の作動釦の作動軸部を可動体の係止凹部にロックした状態を示す要部拡大断面図である。
【発明を実施するための形態】
【００１０】
本発明の実施の形態を図面により説明すると、図１はランドセルの外底面に本発明の錠前金具を取付けた状態の正面図、図２は錠前基板の摺動部の下段に可動体を位置した状態を示す正面図、図３は錠前基板の摺動部の上段に可動体を位置した状態を示す正面図、図４は錠前基板の摺動部に位置した可動体の底面図、図５は錠前基板に取付ける可動体の分解斜視図、図６は錠前基板の背面図、図７は掛止板の正面図、図８は可動体の一部を破断した側面図である。錠前金具１０は、図１に示すごとく、ランドセル１の外底面２に取付けた錠前基板１１の中央に設けた摺動部１２に位置した可動体３０をスライド機構Ａで前後動可能、且つ、摺動部１２の両側に設けたガイド壁部１８に取付けたロック機構Ｂで可動体３０の前後動位置を多段階に調節可能に取付けてある。
【００１１】
前記ランドセル１は、主収容部、副収容部、前ポケットなどを具えたランドセル本体を有する通常型ランドセルと、前記主収容部と副収容部のマチ部を伸縮可能に形成した拡張型ランドセルを含むものとする。
【００１２】
さらにこの可動体３０の上面に、前記ランドセル１の蓋板４の一端に設けた舌片５に取付けた掛止板６に設けた複数の掛止孔７とそれぞれ着脱可能に連結する連結機構Ｃを取付けてある。
【００１３】
前記錠前基板１１は、図６に示すごとく、中央に設けた摺動部１２の左右方向に拡げた固定部１４の表面両側にランドセル１の背負ベルト８の一端を連結するベルト連結環１６を回転可能に取付ける座部１５をそれぞれ設け、前記摺動部１２の上面前後方向に凹凸状の溝部１３を設け、該摺動部上を移動する可動体３０との摩擦抵抗を減少させてスムースに前後動可能に形成してある。
【００１４】
前記錠前基板１１は、図６に示すごとく、前記摺動部１２の中央にスライド孔２０を設け、該スライド孔を含む摺動部１２の裏面にスライド板２２を摺動させるガイド溝部部２１を設けてある。
【００１５】
前記摺動部１２とガイド壁部１８との両角部の中央に、前記ロック機構Ｂの作動釦４０に設けた作動軸部４１を出し入れ可能に突出させる作動孔１７をそれぞれ設けてある。  
【００１６】
スライド機構Ａは、図８、９、１０、１１に示すごとく、可動体３０の開口底部３２に取付ける連結板２３と、ガイド溝部部２１に摺動可能に取付けたスライド板２２とをスライド孔２０を介して連結してある。
【００１７】
前記連結板２３は、図９に示すごとく、短尺方向中央部分を断面Ｌ字形に打ち抜いて互いに向き合う連結脚部２４を下方に設け、打ち抜いた取付凹部２５に連結部片２６を収納し、該連結部片２６とスライド板２２とを連結脚部２４を介して連結してある。したがって、スライド板２２をガイド溝部２１内でスムースに摺動させることができる。
【００１８】
ロック機構Ｂは、図２、１１、１２、１３、１４に示すごとく、摺動部１２の両側に設けたガイド壁部１８の上方外側に設けた収容凹部１９に取付ける支持板４５と、可動体３０をロック、アンロックする作動軸部４１を有した作動釦４０と、該作動釦を外方向に付勢させる弾発片（図示せず）とからなり、前記収容凹部１９に収容した支持板４５の軸受部４６に作動釦４０を枢動可能に軸支して外方向に付勢させてある。
【００１９】
この作動釦４０を外方向に弾発させることにより、作動釦４０下端内側に設けた作動軸部４１が、前記摺動部１２とガイド壁部１８との角部に設けた作動孔１７から露出し、摺動部１２上に位置した可動体３０の側面に設けた任意係止凹部３１と嵌合（ロック）、離脱(アンロック)して可動体３０の停止位置を多段階に調整可能にしてある。
【００２０】
したがって、作動釦４０は弾発片（図示せず）により常に外側方向に付勢され、作動軸部４１が作動孔１７から突出して可動体３０をロックし、作動釦４０をそれぞれ内側方向に押すことにより、作動釦４０を枢動させて作動軸部４１を可動体３０の係止凹部３１から下方に離脱させることにより可動体３０をアンロックすることができる。
【００２１】
この作動釦４０の押圧力を離すと弾発片（図示せず）の弾発力により、作動釦４０が元の位置に戻ると、作動軸部４１も作動孔１７から突出して可動体３０の他の係止凹部３１に嵌合して再度ロックすることができる。
【００２２】
この動作を繰り返すことにより、簡単に可動体３０の停止位置を多段階に変えることができるので、蓋板４の掛止板６を連結機構Ｃから外すことなく簡単に締着位置を微調節することができる。
【００２３】
本発明においては、可動体３０の停止位置（係止凹部の数）は３か所設けてあるが、３か所に限定されるものではなく、２ヶ所でも４か所でもよいことは勿論である。
【００２４】
前記連結機構Ｃは、図２、５、１０、１１に示すごとく、可動体３０の上面に回動可能に突出させた回転子５１によりランドセル１の蓋板４の一端に取付けた掛止板６を着脱可能に連結するもので、可動体３０の上面に設けた軸孔３３に一部を露出させた回転子５１と、ピン孔３４に回転子５１を作動させるピン軸５３とを挿通し、内部に回転子５１とピン軸５３を支持する軸孔２９を有した連結支持板２８と、前記回転子５１を回動させるばね５５と、該ばねを掛止係止し、ピン軸５３の降下により回転子５１を作動させる掛止片５６と、蓋板４の掛止板６を吸着する磁性体５８により構成してある。
【００２５】
この連結機構Ｃは、蓋板４の掛止板６に設けてある複数の掛止孔７の何れかを前記回転子５１に挿通すると、掛止板６が磁性体５８の吸着力により可動体３０の表面に吸着されると同時にピン軸５３を下方に押圧し、該ピン軸の作動により掛止片５６がばね５５の反発力を解除して回転子５１を回動させることにより、掛止孔７と同一方向に位置している回転子５１を掛止孔７と直角方向の位置に回動して掛止板６を可動体３０に掛止可能に形成してある。
【００２６】
次いで、掛止板６の可動体３０からの離脱は、掛止板６の掛止孔７と直角方向に位置した回転子を摘まみ、ばね５５の反発力に抗して回転方向と逆方向に回転させて掛止板６の掛止孔７と平行位置に回動させると、回転子５１が掛止片５６によりロックされ、回転子５１が掛止孔７と平行位置を維持する。次いで、掛止板６を持ち上げて掛止孔７を回転子５１から離脱させることができる。
【００２７】
この蓋板４の締緩調節は、通常、掛止板６に２ヶ所設けた掛止孔７の一方に連結機構Ｃの回転子５１を挿通して閉じるが、蓋板４を締め過ぎたり、または緩い場合は、可動体３０を係止凹部３１の数（３段階）だけ前後動させて調節することができる。この可動体３０の調節幅は、掛止板６の掛止孔７の２段階と可動体３０の係止凹部３１に設けた３段階の６段階で調節することができる。したがって、通常型ランドセルまたは拡幅型ランドセルのいずれにも取付けての使用が可能であり大変経済的である。
【００２８】
さらに、蓋板４の調節順位は、通常、可動体３０の連結機構Ｃに掛止板６を連結してから可動体３０を前後動させて調節させるが、先に可動体３０をロック機構Ｂの作動軸部４１にロックさせて位置決めした後、掛止板６に設けた複数の掛止孔７のいずれかを選択して連結機構Ｃの回転子５１に嵌合させて調節してもよい。
【００２９】
以下、本発明の実施の形態の作用について説明すると、錠前金具１０は、ランドセル１の外底面２に取付けた錠前基板１１の摺動部１２にスライド機構Ａとロック機構Ｂを介して連結機構Ｃを内蔵した可動体３０を摺動可能に取付けてある。
【００３０】
したがって、ランドセルに収容する教科書や教材の量によって主・副収容室のマチ幅を拡幅可能にして収容する拡幅型ランドセルであっても蓋板４の掛止板６を可動体３０に連結した状態のままで可動体３０の停止位置をロック機構Ｂで多段階に調節することにより蓋板を開閉することができ、且つ、収容室内の各種教材の移動を防止して傷みを防止することができる。また、ロック機構Ｂの操作は、低学年の学童でも簡単に操作可能に取付けてある。
【００３１】
前記スライド機構Ａは、図８、９、１０、１１に示すごとく、可動体３０の開口底部３２に取付ける連結板２３と、錠前基板１１の裏面に設けたガイド溝部部２１に摺動可能に取付けたスライド板２２を摺動部１２の略中央に設けたスライド孔２０を介して連結してある。
【００３２】
前記連結板２３は、短尺方向中央部分を断面Ｌ字形または鉤型に打ち抜いて互いに向き合う連結脚部２４を下方に設け、打ち抜いた取付凹部２５に連結ねじ（図示せず）を締着固定する連結部片２６を収納し、該連結部片とスライド板２２とをねじなどの結合手段で連結脚部２４を介して連結することにより、ガイド溝部２１内でスライド板２２をスムースに摺動させることができる。
【００３３】
前記錠前基板１１の表面に設けた摺動部１２は、上面前後方向に凹凸状の溝部１３を設け、該摺動部上を摺動する可動体３０との摩擦抵抗を減少させてスムースに前後動可能に形成してある。
【００３４】
前記ロック機構Ｂは、錠前基板１１に設けた一対のガイド壁部１８の上方外側に設けた収容凹部１９に、可動体３０をロックまたはアンックする作動軸部４１を有した作動釦４０と、該作動釦の支持軸部４２を軸支して枢動可能に支持する支持板４５と、枢動可能に軸支した作動釦４０の上方を外方向に付勢させる弾発片（図示せず）とにより構成してある。
【００３５】
この作動釦４０を外方向に弾発させることにより、作動釦４０の下端に設けた作動軸部４１を前記摺動部１２の角部に設けた作動孔１７から出し入れ可能にしてある。したがって、摺動部１２上の角部に設けた作動孔１７から作動軸部４１を可動体３０の側面に設けた複数の係止凹部３１の何れかに嵌合（ロック）ク)させて可動体３０を多段階に停止させることができる。
【００３６】
さらにこの作動釦４０の押圧力を離すと弾発片（図示せず）の弾発力により可動釦４０が元の位置に戻ると、作動孔１７から作動軸部４１が突出して他の係止凹部３１に嵌合し、再度可動体３０をロックする。この動作を繰り返すことにより、簡単に可動体３０の停止位置を多段に変えることができるので、蓋板４の掛止板６を連結機構Ｃから外すことなく簡単に締着位置を調節することができる。
【００３７】
前記連結機構Ｃは、図１１、１２、１３、１４に示すごとく、蓋板４の掛止板６に設けてある複数の掛止孔７の何れかを前記回転子５１に挿通すると、掛止板６が磁性体５８の作用により可動体３０の表面に吸着されると同時にピン軸５３が押し下げられて掛止片５６を操作し、該掛止片の作動によりばね５５の反発力を解除させて回転子５１を回動させる。この回転子５１の回動により、掛止孔７と直角方向の位置に回動することにより掛止板６を可動体３０に連結可能にすることができる。
【００３８】
また、掛止板６の可動体３０からの離脱は、掛止板６の掛止孔７と直角方向に位置した回転子５１の摘まみをばね５５の反発力に抗して回転方向と逆方向に回転させて掛止板６の掛止孔７と平行位置に回動させると、回転子５１が掛止片５６によりロックされ、回転子が掛止孔７と平行位置を維持し、次いで、掛止板６を持ち上げることにより掛止孔７を回転子から離脱させて外すことができる。
【００３９】
この掛止板６は、ランドセル１に収納した教材の量により掛止位置を調節して連結機構Ｃの回転子５１に掛止板６の掛止孔７を挿通してロックした後蓋板４が緩かったり締め過ぎた場合、可動体３０を簡単に前後動させることにより停止位置を調整することができるので蓋板４の締緩を簡単に微調整することができ、ランドセル１に収納した教材の破損や傷つきを防止することができる。
【００４０】
この蓋板４の締緩調節は、通常、掛止板６に設けた二ヶ所の掛止孔７の一方を連結機構Ｃの回転子５１に連結してから可動体３０を前後動させて係止凹部３１の数（３段階）だけ調節することができる。したがって、調節幅は、掛止板６の掛止孔７の２段階と可動体３０の係止凹部３１に設けた３段階の６段階で調節することができる。さらに、錠前金具１０は、通常型ランドセルだけでなく拡幅型ランドセルにも取付けて使用することができるものである。  
【００４１】
この蓋板４の締緩調節順位は、先に掛止板６の掛止孔７の一方に連結機構Ｃの回転子５１に連結してから可動体３０を前後動させて調節するが、先に可動体３０をロック機構Ｂの作動軸部４１にロックさせて位置決めした後、掛止板６に設けた複数の掛止孔７のいずれかを選択して連結機構Ｃの回転子５１に嵌合させて調節してもよい。
【符号の説明】
【００４２】
１    ランドセル
２    外底面
４    蓋板
６    掛止板
７    掛止孔
１０  錠前金具
１１  錠前基板
１２  摺動部
１３  溝部
１７  作動孔
１８  ガイド壁部
１９  収容凹部
２０  スライド孔
２１  ガイド溝部部
２２  スライド板
２３  連結板
２４  連結脚部
２５  取付凹部
２６  連結部片
２８  連結支持板
３０  可動体
３１  係止凹部  
３２  開口底部
３３  軸孔
３４  ピン孔
４０  作動釦
４１  作動軸部
４２  支持軸部
４５  支持板
４６  軸受部
４９  弾発片
５１  回転子
５３  ピン軸
５５  ばね
５６  操作片
５７  掛止片
５８  磁性体
Ａ    スライド機構
Ｂ    ロック機構
Ｃ    連結機構
【図１】
2020171472.tif 000003
【図２】
2020171472.tif 000004
【図３】
2020171472.tif 000005
【図４】
2020171472.tif 000006
【図５】
2020171472.tif 000007
【図６】
2020171472.tif 000008
【図７】
2020171472.tif 000009
【図８】
2020171472.tif 000010
【図９】
2020171472.tif 000011
【図１０】
2020171472.tif 000012
【図１１】
2020171472.tif 000013
【図１２】
2020171472.tif 000014
【図１３】
2020171472.tif 000015
【図１４】
2020171472.tif 000016